(57)【要約】  ネイルアート器具及びこれによるネイルアート方法を開示する。本発明は、多様な模様、文字などを低費用でかつ易くて迅速に顔面又は爪に印刷して自分なりの個性が生かせるようにする。
2007528738.tif 000002
【特許請求の範囲】
【請求項１】
爪又は顔面に使用者の所望模様、文字などを印刷するネイルアート器具において、
多様な色相を有する複数のマニキュア又はネイルアート専用ペイントと、
多様な模様、文字などのイメージが刻み付けられたイメージプレートと、
前記イメージプレートの刻み付け部に塗られたマニキュア又はネイルアート専用ペイントを平らに整えるためのブレード部材と、
前記イメージプレートの刻み付け部に塗られたマニキュア又はネイルアート専用ペイントを付けて使用者の爪又は顔面に印刷するスタンプとを含んでなることを特徴とするネイルアート器具。
【請求項２】
爪又は顔面に使用者の所望模様、文字などを印刷するネイルアート器具を用いてネイルアートを行う方法において、
複数のイメージプレートのイメージのなかで使用者の所望イメージを選択し、複数のマニキュア又はネイルアート専用ペイントのなかで使用者の所望色相のものをブラシで前記所望のイメージプレートのイメージに塗る第１段階と、
前記選択されたイメージプレートのイメージに塗られたマニキュア又はネイルアートペイントをブレード部材で掻き出して、マニキュア又はネイルアートペイントを平らにする第２段階と、
前記イメージプレートのイメージに塗られたマニキュア又はネイルアート専用ペイントをスタンプで付ける第３段階と、
前記スタンプに付けられた所望イメージのマニキュア又はネイルアート専用ペイントを使用者の爪に印刷する第４段階とを含んでなることを特徴とするネイルアート方法。
【発明の詳細な説明】
【技術分野】
【０００１】
本発明はネイルアート器具及びこれによるネイルアート方法に係り、より詳しくは多様な模様、文字などを低費用でかつ易くて迅速に顔面又は爪に印刷して自分なりの個性が生かせるようにしたネイルアート器具及びこれによるネイルアート方法に関するものである。
【背景技術】
【０００２】
近年、若者たちの間では、各種のアクセサリなどを用いて自分なりの個性を生かすことが、流行に止まらなく一つの文化として定着している実状である。
【０００３】
とりわけ、若い女性は、単純なマニキュアの代わりに、爪に多様な模様、文字などを印刷（nail art）して自分なりの個性を生かす場合が増えている。
【０００４】
しかし、このようなネイルアートにおいては、自分が直接多様な模様、文字などを描き難いため、専門家に高費用を支払うことでサービスを受ける場合が殆どであり、かつ多様な模様、文字などが印刷されたネイルシールなどを別に貼り付けることで満足することが一般的であった。
【０００５】
そのほかに、記憶媒体に記憶されている多様な模様から所望の模様を選択して爪に印刷するようにした装置も開発されたが、このような装置は高価であるうえ、一定の指定位置にだけ設置されているため、一般人が便利に利用することができない問題点があった。
【０００６】
さらに、頻繁な手洗いのため、爪に印刷された多様な模様、文字などが数日さえ持続し得なくて消されるため、高費用の支出に比べてその効果が足りない問題点があった。
【０００７】
一方、最近、遊び公園、各種のスポーツ競技場などにおいて、子供たち及び若者たちの間ではフェースペインティングが流行しているが、これも専門家が手作業で一つ一つ描き込むことから、その作業時間が長くかかり、よって多くの支援者に施行することができなく、フェースペインティングを受ける人も長時間にわたって停止状態を維持しなければならないため、その作業が容易でない問題点があった。
【発明の開示】
【発明が解決しようとする課題】
【０００８】
したがって、本発明はこのような従来の諸般問題点を解消するためになされたもので、多様な模様、文字などを低費用でかつ易くて迅速に顔面又は爪に印刷して自分なりの個性が生かせるようにしたネイルアート器具及びこれによるネイルアート方法を提供することにその目的がある。
【０００９】
また、本発明のほかの目的は、フェースペインティングだけでなく、携帯電話器を含む各種のアクセサリ、ハンカチーフ、スカーフなどに多様な模様、文字などを易くて迅速に印刷して自分なりの個性を生かすことができるネイルアート器具及びこれによるネイルアート方法を提供することにある。
【課題を解決するための手段】
【００１０】
前記のような目的を達成するため、本発明は、爪又は顔面に使用者の所望模様、文字などを印刷するネイルアート器具において、多様な色相を有する複数のマニキュア又はネイルアート専用ペイントと、多様な模様、文字などのイメージが刻み付けられたイメージプレートと、前記イメージプレートの刻み付け部に塗られたマニキュア又はネイルアート専用ペイントを平らに整えるためのブレード部材と、前記イメージプレートの刻み付け部に塗られたマニキュア又はネイルアート専用ペイントを付けて使用者の爪又は顔面に印刷するスタンプとを含んでなるネイルアート器具を提供する。
【００１１】
また、本発明は、爪又は顔面に使用者の所望模様、文字などを印刷するネイルアート器具を用いてネイルアートを行う方法において、複数のイメージプレートのイメージのなかで使用者の所望イメージを選択し、複数のマニキュア又はネイルアート専用ペイントのなかで使用者の所望色相のものをブラシで前記所望のイメージプレートのイメージに塗る第１段階と、前記選択されたイメージプレートのイメージに塗られたマニキュア又はネイルアートペイントをブレード部材で掻き出して、マニキュア又はネイルアートペイントを平らにする第２段階と、前記イメージプレートのイメージに塗られたマニキュア又はネイルアート専用ペイントをスタンプで付ける第３段階と、前記スタンプに付けられた所望イメージのマニキュア又はネイルアート専用ペイントを使用者の爪に印刷する第４段階とを含んでなるネイルアート方法を提供する。
【発明を実施するための最良の形態】
【００１２】
以下、本発明の好ましい実施例を添付図面に基づいて詳細に説明する。
【００１３】
図１は本発明によるネイルアート器具を示す斜視図である。同図に示すように、本発明のネイルアート器具は、多様な色相を有する複数のマニキュア、又はネイルアート専用ペイント１０と、多様な模様、文字などのイメージが刻み付けられたイメージプレート１２と、前記イメージプレート１２の刻み付け部に塗られたマニキュア又はネイルアート専用ペイント１０を平らに整えるためのブレード部材１６と、前記イメージプレート１２の刻み付け部に塗られたマニキュア又はネイルアート専用ペイント１０を付けて使用者の爪又は顔面に印刷するスタンプ１８とを含んでなる。
【００１４】
前記マニキュア又はネイルアート専用ペイント１０と、イメージプレート１２と、ブレード部材１６、及びスタンプ１８はそれぞれ別体として備えられ、一つに包装されて単品として生産、販売し、前記マニキュア又はネイルアート専用ペイント１０とイメージプレート１２は一定数をパッケージにして生産、販売することが好ましい。
【００１５】
このように構成された本発明のネイルアート器具によるネイルアート方法を説明するとつぎのようである。
【００１６】
図２に示すように、まず、複数のイメージプレート１２のイメージのなかで使用者の所望イメージ１４を選択し、複数のマニキュア又はネイルアート専用ペイント１０のなかで使用者の所望色相のものをブラシ１０−１で前記所望のイメージプレート１２のイメージ１４に塗る（第１段階）。
【００１７】
つぎに、図３に示すように、前記選択されたイメージプレート１２のイメージ１４に塗られたマニキュア又はネイルアートペイント１０をブレード部材１６で掻き出して、マニキュア又はネイルアートペイント１０を平らにする（第２段階）。
【００１８】
つぎに、図４に示すように、前記イメージプレート１２のイメージ１４の刻み付け部に収容されたマニキュア又はネイルアート専用ペイント１０をスタンプ１８で付ける（第３段階）。
【００１９】
最終に、図５に示すように、前記スタンプ１８に付けられた所望イメージのマニキュア又はネイルアート専用ペイント１０を使用者の爪に印刷する（第４段階）。
【００２０】
このような過程によると、図６に示すように、使用者の爪に所望のイメージが所望の色相で印刷されることにより、所望のネイルアートができ上がる。
【００２１】
前記実施例においては、多様な模様、色相のイメージを使用者の爪に印刷するネイルアートについてだけ説明したが、前記のような方法で使用者の顔面にフェースペインティングを行うこともできる。
【００２２】
また、前記のような方法で、携帯電話器を含む各種のアクセサリ、ハンカチーフ、スカーフなどの携帯品にも多様な模様、色相のイメージを印刷して自分なりの個性を生かすことができる。
【産業上の利用可能性】
【００２３】
前記のような本発明のネイルアート器具及びこれによるネイルアート方法によると、自分なりの個性を重要視する若者たちが、高費用を支払って専門家から長時間にわたったネイルアート及びフェースペインティングを受けなくても、簡単な作業で多様な模様、文字などを爪又は顔面に印刷することができるので、時間及び費用を節減しながらも自分なりの個性を容易に演出することができる有用な効果がある。
【００２４】
また、前記のような方法で、携帯電話器を含む各種のアクセサリ、ハンカチーフ、スカーフなどに、多様な模様及び色相を有する多様なイメージを印刷して携帯することができるので、自分なりの個性を著しく生かすことができる効果がある。
【００２５】
また、贈り物包装紙などにも多様な模様及び色相を有する多様なイメージを印刷し、この包装紙で包装した贈り物をすると、贈り物の美感が向上して、贈り物を受ける人に大きな嬉しさを上げることができる効果もある。
【図面の簡単な説明】
【００２６】
【図１】図１は本発明によるネイルアート器具を示す斜視図である。
【図２】図２は本発明によるネイルアート器具を用いるネイルアート方法の第１段階を示す斜視図である。
【図３】図３は本発明によるネイルアート器具を用いるネイルアート方法の第２段階を示す斜視図である。
【図４】図４は本発明によるネイルアート器具を用いるネイルアート方法の第３段階を示す斜視図である。
【図５】図５は本発明によるネイルアート器具を用いるネイルアート方法の第４段階を示す斜視図である。
【図６】図６は本発明によるネイルアート器具を用いるネイルアート方法を完了した状態を示す斜視図である。
【図１】
2007528738.tif 000003
【図２】
2007528738.tif 000004
【図３】
2007528738.tif 000005
【図４】
2007528738.tif 000006
【図５】
2007528738.tif 000007
【図６】
2007528738.tif 000008
【国際調査報告】
2007528738.tif 000009